(57)【要約】【課題】印刷前に印刷物の透過の状態をより現実に近い状態で確認することができる画像表示方法及び画像表示装置並びに印刷支援システムを提供する。【解決手段】少なくとも１ページから４ページを含む書籍印刷物の仕上がり状態を確認する際に、１ページの印刷（画像）を表示するとともに、１ページの裏面の２ページの印刷が１ページに透過した画像（反転透過画像）と、１ページの下に重ねられる３ページの印刷が１ページに透過した透過画像を重ねて表示することで、現実に近い印刷物の仕上がり状態を確認することができる。当該画像表示方法を、サーバ装置と該サーバ装置にネットワークを介して接続される端末機器と端末機器に接続される印刷装置とを含む印刷支援システムに適用すると、印刷工程の前に仕上がり状態を確認することができ、好ましい。【選択図】図７
2010036422.tif 000002
【特許請求の範囲】
【請求項１】
第１の記録媒体の表面に画像が印刷された状態を表示し、前記第１の記録媒体の下に重ねられる第２の記録媒体の表面に印刷される画像が前記第１の記録媒体に透過した透過画像を生成し、前記透過画像を前記第１の記録媒体の表面に印刷される画像に重ねて表示することを特徴とする画像表示方法。
【請求項２】
請求項１に記載の画像表示方法において、
前記透過画像は、前記第２の記録媒体の表面に印刷される画像の印刷データから生成されることを特徴とする画像表示方法。
【請求項３】
請求項１又は２に記載の画像表示方法において、
前記第１の記録媒体の裏面に印刷される画像が前記第１の記録媒体に透過した反転透過画像を生成するとともに、前記反転透過画像を第１の記録媒体の表面に印刷される画像及び前記透過画像に重ねて表示することを特徴とする画像表示方法。
【請求項４】
請求項３に記載の画像表示方法であって、
前記裏面透過画像は、前記第１の記録媒体の裏面に印刷される印刷データから生成されることを特徴とする画像表示方法。
【請求項５】
請求項１乃至４のいずれか１項に記載の画像表示方法において、
前記透過画像及び前記反転透過画像は、観察位置に到達する光量に基づいて生成されることを特徴とする画像表示方法。
【請求項６】
請求項５に記載の画像表示方法において、
前記観察位置に到達する光量は、前記第１、第２の記録媒体の反射光及び透過光のうち、少なくともいずれか一方を含むことを特徴とする画像表示方法。
【請求項７】
請求項１乃至６のいずれか１項に記載の画像表示方法において、
前記第１の記録媒体の表面の位置をｘ，ｙ座標で表したときの第１の記録媒体の表面から見た観察光量ｇｌ（ｘ，ｙ）は、前記第１の記録媒体の表面の反射光の明度をｌｐ１、前記第１の記録媒体の裏面の反射光の明度をｌｐ２、前記第２の記録媒体の表面の反射光の明度をｌｐ３としたときに、次式
ｇｌ（ｘ，ｙ）＝ｌｐ１（ｘ，ｙ）＋ｌｐ２（ｘ，ｙ）＋ｌｐ３（ｘ，ｙ）
で表されることを特徴とする画像表示方法。
【請求項８】
請求項１乃至７のいずれか１項に記載の画像表示方法において、
前記第１の記録媒体及び前記第２の記録媒体を含む印刷物を立体的に表示することを特徴とする画像表示方法。
【請求項９】
第１の記録媒体の表面に画像が印刷された状態を表示する表示手段と、
前記第１の記録媒体の下に重ねられる第２の記録媒体の表面に印刷される画像が前記第１の記録媒体に透過した透過画像を生成する透過画像生成手段と、
を備え、
前記表示手段は、前記透過画像を前記第１の記録媒体の表面に印刷される画像に重ねて表示することを特徴とする画像表示装置。
【請求項１０】
請求項９に記載された画像表示装置において、
請求項１乃至８のいずれか１項に記載された画像表示方法が適用されることを特徴とする画像表示装置。
【請求項１１】
サーバ装置と、
前記サーバ装置とネットワーク接続された端末装置と、
前記端末装置に接続される印刷装置と、
を含み、
前記端末装置は、前記サーバ装置から送られる印刷データに基づき、第１の記録媒体の表面に画像が印刷された状態を表示する表示手段と、
前記サーバ装置から送られる印刷データに基づき、前記第１の記録媒体の下に重ねられる第２の記録媒体の表面に印刷される画像が前記第１の記録媒体に透過した透過画像を生成する透過画像生成手段と、
を備え、
前記表示手段は、前記透過画像を前記第１の記録媒体の表面に印刷される画像に重ねて表示することを特徴とする印刷支援システム。
【請求項１２】
請求項１１に記載の印刷システムにおいて、
前記印刷データに基づいて前記印刷装置により印刷された前記第１の記録媒体及び前記第２の記録媒体を含む印刷物を作製する印刷物作製装置を含むことを特徴とする印刷支援システム。
【請求項１３】
請求項１１又は１２に記載の印刷システムにおいて、
前記端末装置は、請求項９又は１０に記載の画像表示装置を含むことを特徴とする印刷支援システム。
【発明の詳細な説明】
【技術分野】
【０００１】
本発明は、画像表示方法及び画像表示装置並びに印刷支援システムに係り、特に、雑誌やカタログなどの書籍印刷物の仕上がり状態を確認するための画像表示技術に関する。
【背景技術】
【０００２】
雑誌やカタログ（カタログ書籍）などの書籍印刷物では、薄手の用紙に対して表裏両面に写真などの濃度の高い画像等が印刷される。薄手の用紙に両面印刷をすると、表面に裏面の印刷が透過してしまうことがあり、透過の程度によって透過が許容範囲を超えると印刷品質を著しく劣化させてしまう。このような印刷品質の劣化が発生すると、用紙の種類の変更や印刷内容の変更などを行う必要が生じてしまうので、印刷前に仕上がり状態を確認したいという要求がある。
【０００３】
特許文献１には、いわゆるコピー機を用いて両面印刷をする際に、表面に対する裏面の印刷方向が期待どおりであることを事前に確認するために、モニタ上で表面の画像と裏面の反転画像を重ね合わせて表示する画像形成装置及び画像形成方法が開示されている。
【特許文献１】特許第３４４１７９４号公報
【発明の開示】
【発明が解決しようとする課題】
【０００４】
しかしながら、雑誌やカタログ書籍などに用いられる薄手の用紙を用いると、裏面だけでなく下となる面（次のページ）の印刷が透過してしまうことがあり、裏面の透過に加えて次のページの透過を予測する必要がある。
【０００５】
特許文献１に記載された技術では、表裏両面の画像の位置関係や方向関係を確認することはできるものの、裏面の画像の透過の程度や表面の画像に対して裏面の透過画像の影響がどの程度であるかを判断することは困難である。さらに、特許文献１には複数枚の連続印刷を行う場合についての開示はなく、特許文献１に記載された技術を用いて複数枚の用紙から成る印刷物の用紙間の透過の程度を確認することは極めて困難である。
【０００６】
本発明はこのような事情に鑑みてなされたもので、印刷前に印刷物の透過の状態をより現実に近い状態で確認することができる画像表示方法及び画像表示装置並びに印刷支援システムを提供することを目的とする。
【課題を解決するための手段】
【０００７】
上記目的を達成するために本発明に係る画像表示方法は、第１の記録媒体の表面に画像が印刷された状態を表示し、前記第１の記録媒体の下に重ねられる第２の記録媒体の表面に印刷される画像が前記第１の記録媒体に透過した透過画像を生成し、前記透過画像を前記第１の記録媒体の表面に印刷される画像に重ねて表示することを特徴とする。
【０００８】
本発明によれば、少なくとも第１の記録媒体及び第２の記録媒体を含み、第１の記録媒体と第２の記録媒体とを重ね合わせた印刷物を製作する際に、第１の記録媒体の表面に印刷される画像に、第２の記録媒体の表面に印刷される画像が第１の記録媒体に透過された透過画像が重ねて表示されるので、印刷前に当該印刷物の仕上がり状態を視覚的に確認することができる。
【０００９】
「記録媒体」とは、印刷対象の媒体を意味し、紙類以外にも樹脂シートなどの媒体も含まれる。
【００１０】
本発明における「画像」は、写真や絵などの狭義の画像の他に、文字、記号、絵文字などを含む広い概念の画像を意味している。
【００１１】
本発明に係る画像表示方法において、透過画像は、前記第２の記録媒体の表面に印刷される画像の印刷データから生成される態様が好ましい。
【００１２】
本発明の一態様に係る画像表示方法は、前記第１の記録媒体の裏面に印刷される画像が前記第１の記録媒体に透過した反転透過画像を生成するとともに、前記反転透過画像を第１の記録媒体の表面に印刷される画像及び前記透過画像に重ねて表示することを特徴とする。
【００１３】
かかる態様によれば、第１の記録媒体の裏面の画像が表面に透過する状態を把握することができる。
【００１４】
本発明に係る画像表示方法において、裏面透過画像は、前記第１の記録媒体の裏面に印刷される印刷データから生成される態様が好ましい。
【００１５】
前記透過画像及び前記反転透過画像は、観察位置に到達する光量に基づいて生成される態様が好ましく、観察位置に到達する光量は、前記第１、第２の記録媒体の反射光及び透過光のうち、少なくともいずれか一方が含まれる。
【００１６】
さらに、観察位置に達する光量には、自発光が含まれていてもよい。
【００１７】
また、本発明の他の態様に係る画像表示方法は、前記第１の記録媒体の表面の位置をｘ，ｙ座標で表したときの第１の記録媒体の表面から見た観察光量ｇｌ（ｘ，ｙ）は、前記第１の記録媒体の表面の反射光の明度をｌｐ１、前記第１の記録媒体の裏面の反射光の明度をｌｐ２、前記第２の記録媒体の表面の反射光の明度をｌｐ３としたときに、次式ｇｌ（ｘ，ｙ）＝ｌｐ１（ｘ，ｙ）＋ｌｐ２（ｘ，ｙ）＋ｌｐ３（ｘ，ｙ）で表されることを特徴とする。
【００１８】
かかる態様によれば、第１の記録媒体の表面から見た観察光量ｇｌ（ｘ，ｙ）に基づき、透過画像及び反転透過画像を生成することができる。
【００１９】
さらに、前記第１の記録媒体及び前記第２の記録媒体を含む印刷物を立体的に表示する態様も好ましい。
【００２０】
また、上記方法発明を具現化するための装置発明を提供する。すなわち、本発明に係る画像表示装置は、第１の記録媒体の表面に画像が印刷された状態を表示する表示手段と、前記第１の記録媒体の下に重ねられる第２の記録媒体の表面に印刷される画像が前記第１の記録媒体に透過した透過画像を生成する透過画像生成手段と、を備え、前記表示手段は、前記透過画像を前記第１の記録媒体の表面に印刷される画像に重ねて表示することを特徴とする。
【００２１】
本発明に係る画像表示装置は、表示手段を含むモニタ装置と、透過画像生成手段を含む画像生成装置と、を含む構成を適用してもよいし、表示手段及び透過画像生成手段を一体に構成してもよい。
【００２２】
本発明に係る画像表示装置には、上記画像表示方法が適用されることが好ましい。
【００２３】
また、上記目的を達成するために、本発明に係る印刷支援システムは、サーバ装置と、前記サーバ装置とネットワーク接続された端末装置と、前記端末装置に接続される印刷装置と、を含み、前記端末装置は、前記サーバ装置から送られる印刷データに基づき、第１の記録媒体の表面に画像が印刷された状態を表示する表示手段と、前記サーバ装置から送られる印刷データに基づき、前記第１の記録媒体の下に重ねられる第２の記録媒体の表面に印刷される画像が前記第１の記録媒体に透過した透過画像を生成する透過画像生成手段と、を備え、前記表示手段は、前記透過画像を前記第１の記録媒体の表面に印刷される画像に重ねて表示することを特徴とする。
【００２４】
本発明に係る印刷支援システムに対して、上記画像表示方法及び画像表示装置を適用することで、印刷工程の前に印刷物の仕上がり状態を確認することができ、裏面や下に重ねられる面の印刷が表面の印刷に影響を与える場合には、記録媒体の変更、印刷データの変更等の対応を行うことが可能となる。
【００２５】
また、本発明に係る印刷支援システムにおいて、前記印刷データに基づいて前記印刷装置により印刷された前記第１の記録媒体及び前記第２の記録媒体を含む印刷物を作製する印刷物作製装置を含む態様が好ましい。
【００２６】
さらに、本発明に係る印刷支援システムにおいて、前記端末装置は、請求項７又は８に記載の画像表示装置を含む態様が好ましい。
【発明の効果】
【００２７】
本発明によれば、第１の記録媒体と第２の記録媒体とを重ね合わせた印刷物を製作する際に、第１の記録媒体の表面に印刷される画像に、第２の記録媒体の表面に印刷される画像が第１の記録媒体に透過された透過画像が重ねて表示されるので、印刷前に当該印刷物の仕上がり状態を視覚的に確認することができる。
【発明を実施するための最良の形態】
【００２８】
以下、添付図面に従って本発明の好ましい実施の形態について詳説する。
【００２９】
〔印刷物の仕上がり表示方法の概要〕
まず、本発明の実施形態に係る印刷物仕上がり表示方法（画像表示方法）の概要について説明する。
【００３０】
図１は、雑誌やカタログ（カタログ書籍）などの書籍印刷物１０の斜視図であり、図２は、図１の書籍印刷物１０の２ページと３ページを見開きにした状態を示す図である。図１及び図２に示す書籍印刷物１０は、少なくとも２枚の印刷用紙を用いて構成されるとともに、コート紙や上質紙、中質紙など比較的厚みが薄い印刷用紙が適用される。なお、本明細書では「印刷用紙」を「用紙」や「記録媒体」と呼ぶことがある。
【００３１】
図１及び図２に示す書籍印刷物１０は、１ページ（ｐ１）の裏面の２ページ（図２のｐ２）に印刷がなされ、３ページ（ｐ３）の裏面の４ページ（不図示）にも印刷がなされる両面印刷となっている。
【００３２】
１ページは画像部１２とテキスト部１４から構成され、画像部１２は多色刷り、テキスト部１４は単色刷り（例えば、黒）や２色刷り（例えば、黒と赤）となっている。また、図２に示す２ページ及び３ページはそれぞれ、多色刷りの画像部１６及び画像部１８から構成されている。
【００３３】
本実施形態に係る印刷物仕上がり表示方法は、書籍印刷物１０の印刷原稿が完成し、印刷に入る前に書籍印刷物１０の仕上がり状態を確認するために用いられる。図１の１ページを観察したときに、１ページの裏面である２ページの印刷内容がどのくらい透けて見えるか、１ページ及び２ページを構成する用紙２０の下に重ねられる用紙２２の表面である３ページの印刷内容が１ページを観察するときにどのくらい透けて見えるかを、１ページの印刷内容に重ねてモニタ装置（図８に符号１１２で図示）に表示するものである。
【００３４】
換言すると、面付け結果のプレビュー画像（１ページのプレビュー画像）に、裏面（２ページ）及び下に重ねられる紙面（３ページ）の印刷の映り込みが付加される。この表示結果に基づき、裏面の画像及び下に重ねられる面の画像の映り込み（透過）が許容範囲を超えているか否かを判断することができ、許容範囲を超えている場合には面付けの変更や用紙の変更、画像の変更等の対応が適宜行われる。
【００３５】
以下に、本例に示す仕上がり表示方法の各工程について詳細に説明する。
【００３６】
〔画像透過のシミュレーション〕
次に、裏面及び下に重ねられる面の透過画像を生成する際に用いられる画像透過のシミュレーションについて説明する。
【００３７】
以下に説明する画像透過のシミュレーションは、用紙２０の表面ｐ１を観察面とし、不図示の光源による照射光は観察方向のみから照射されるものとして、黒色のみ（１色のみ）の印刷をした場合の透過光算出方法である。
【００３８】
用紙２０の表面ｐ１、用紙２０の裏面ｐ２、用紙２２の表面ｐ３から反射される光線のうち、観察位置に到達するものを観察方向ごとに足し合わせたものが観察画像（透過光）となる。これはレイトレイシングと呼ばれる一般的な手法である。
【００３９】
図３（ａ）には、用紙２０の裏面ｐ２の画像部１６、用紙２２の表面ｐ３の画像部１８が用紙２０の表面ｐ１側に透過する様子を示す。なお、図３（ａ）では用紙２０の表面ｐ１面の印刷（図１の画像部１２及びテキスト部１４）の図示は省略されている。
【００４０】
観察方向を用紙２０の表面ｐ１上のｘ，ｙ座標で表すと、観察光量ｇｌ（ｘ，ｙ）は、次式（１）で表すことができる。
【００４１】
［数１］
ｇｌ（ｘ，ｙ）＝ｌｐ１（ｘ，ｙ）＋ｌｐ２（ｘ，ｙ）＋ｌｐ３（ｘ，ｙ）  …（１）
上記（１）式におけるｌｐ１（ｘ，ｙ）は、用紙２０の表面ｐ１上の画像（図３には図示しない画像部１２及びテキスト部１４）そのものに相当する。用紙２０の表面ｐ１に印刷がない場合は最大値Ｌｐ１となり、印刷がある場合はその部分の光反射率に応じて減少し、反射率が０（黒体）の場合に最小値０となる。当該最大値Ｌｐ１は用紙２０の表面ｐ１のみからの反射光を測定するために略黒体の上に用紙２０と同質のサンプルを置き測定することで求められる。
【００４２】
上記（１）式におけるｌｐ２（ｘ，ｙ）は、図３に符号２４で示す用紙２０の裏面ｐ２からの反射光及び拡散光に相当する。ｌｐ２（ｘ，ｙ）は用紙２０の裏面ｐ２の印刷濃度に起因する用紙２０の裏面ｐ２の光反射率、及び用紙２２の光拡散率、厚さ、光吸収率、画像部１６と非画像部の境界からの距離をパラメータとする関数であり、用紙ごとに画像部１６と非画像部の境界からの距離と、用紙２０の裏面ｐ２面の光反射率に対応して一義的に定まる。
【００４３】
したがって、画像部１６と非画像部の境界からの距離と用紙２０の裏面ｐ２の印刷濃度に対応する用紙２０の表面ｐ１での観察光量を予め測定し、上記最大値Ｌｐ１を減じた値をテーブル化することで、実際の運用時に上記（１）式のｌｐ２（ｘ，ｙ）を高速に算出することができる。
【００４４】
上記（１）式におけるｌｐ３（ｘ，ｙ）は、図３に符号２５で示す用紙２２の表面ｐ３からの反射光（乱反射光）に相当する。ｌｐ３（ｘ，ｙ）を求めるには、まず、用紙２２の表面ｐ３から反射した光が用紙２０の裏面ｐ２に結像する光量を算出する。その後、用紙２０を透過し観察位置に到達するプロセスはｌｐ２（ｘ，ｙ）と同じである。
【００４５】
用紙２０の裏面ｐ２に結像する光量をｌｐ３＿ｌｐ２（ｘ，ｙ）とすると、次式（２）で表すことができる。
【００４６】
［数２］
ｌｐ３＿ｌｐ２（ｘ，ｙ）＝∫ｆ（ｔ，ｕ)／（（ｔ−ｘ）２＋（ｕ−ｙ）２＋ｈ（ｘ，ｙ）２）ｄｔｄｕ  …（２）
上記（２）式における、ｆ（ｔ，ｕ）は、用紙２２の裏面ｐ３上の単位面積あたりの光反射量であり、用紙２２の裏面ｐ３上の画像（画像部１８）そのものに相当する。また、ｈ（ｘ，ｙ）は観察位置直下における用紙２０の裏面ｐ２と用紙２２の表面ｐ３の空隙量を表す。
【００４７】
図３（ｂ）には、上述した算出方法により求められた明度を模式的に示す。図３（ｂ）に示すように、用紙２０，２２とも白地（非画像部）の場合の明度は、ｌｐ１＋ｌｐ２＋Ｌｐ３であり、用紙２０の裏面ｐ２の画像部１６の明度はｌｐ１（ｌｐ２＝０，ｌｐ３＝０）である。また、用紙２２の表面ｐ３の画像部１８の明度はｌｐ１＋ｌｐ２（ｌｐ３＝０）となる。
【００４８】
本例では、印刷面が用紙２０の表面ｐ１、用紙２０の裏面ｐ２、用紙２２の表面ｐ３の３つの面であるが、用紙２２の裏面ｐ４や用紙２２のさらに下に重ねられる用紙の表面、裏面の印刷画像の透過画像を合成することも可能である。
【００４９】
また、本例では一方向のみから光を照射した場合について説明したが、光源が複数方向から照射される場合の算出方法は、上記に準ずる方法でそれぞれの方向について算出した後に合算すればよい。また、分光反射率の異なる複数色の印刷の場合はスペクトル成分ごとに計算することで再現色の算出が可能となる。
【００５０】
すなわち、透過画像及び反転透過画像は、観察位置に到達する光量に基づいて生成することができる。上述した説明では、単純化するために反射光量に基づく観察光量の算出方法を示したが、観察光量には、反射光量だけでなく透過光量が含まれる場合がある。例えば、観察位置の用紙をはさんで反対側に光源が位置する場合には、主として透過光量が寄与する。
【００５１】
換言すると、上記（１）式の観察光量ｇ（ｘ，ｙ）は、適宜反射光量及び透過光量のうち観察位置に到達する光量と置き換えることが可能である。
【００５２】
観察位置に到達する光量に透過光が含まれる場合には、透過光を透過面（光源の反対側の面、反射光の場合の反射面に対応する面）からの反射光として上記（１）式を用いて光量を算出することが可能である。
【００５３】
すなわち、反射光の場合の「反射面」及び透過光の場合の「透過面」は、光を発する面（発光面）として機能し、この発光面から発せられる光のうち、観察位置に達する光量を上記（１）式により求めればよい。なお、上記（１）式により求められる観察光量ｇ（ｘ，ｙ）は、反射光、透過光以外にも自発光などを含む概念である。
【００５４】
図４には、観察対象ページ（１ページ）のプレビュー画像６０を示す。観察対象ページのプレビュー画像６０は、観察対象ページの印刷データに基づいて生成される。
【００５５】
図５には、観察対象ページの裏面（２ページ）の反転透過画像６２を図示する。観察対象ページの裏面の印刷データに基づき反転画像が生成され、さらに、反転画像に対して画像部１６の明度に基づき反転透過画像６２が生成される。
【００５６】
図６には、観察対象ページの下に重ねられる面（３ページ）の透過画像６４を図示する。透過画像６４は、観察対象ページの下に重ねられる面の印刷データ及び画像部１８の明度に基づき生成される。
【００５７】
図７には、観察対象ページのプレビュー画像６０に反転透過画像６２及び透過画像６４を重ねて表示した仕上がり確認画像６６（仕上がり確認表示）である。この仕上がり確認画像６６により書籍印刷物（図１参照）の仕上がり状態を印刷工程に入る前に確認することができる。特に、雑誌やカタログ書籍など薄い紙を使用する場合には、裏面の印刷や下に重ねられる面の印刷が表面の印刷に悪影響を及ぼすことがあり、かかる場合には紙面のレイアウトを変更する、ページレイアウトを変更する、影響があるページの紙種を変更する、などの処理が適宜行われる。
【００５８】
なお、本例では両面印刷の場合について説明したが、片面印刷の場合には反転透過画像を生成する工程が省略される。
【００５９】
〔システムの構成例〕
次に、上述した印刷物仕上がり表示方法を実現するための、印刷物仕上がり表示システムについて説明する。
【００６０】
図８は、本発明に係る印刷物上がり表示システムの概略構成を示すブロック図である。なお、印刷物上がり表示システムを単に「表示システム」と記載することがある。
【００６１】
同図に示すように、表示システム１００は、校正処理が完了した印刷データ（画像データ）が入力される入力インターフェース及び入力画像データを一時記憶するメモリを含む画像入力部１０２と、入力画像データに対してＲＩＰ（Raster Image Processor）処理を施し出力データに変換するとともに、ＲＩＰ処理後の出力データを一時記憶するＲＩＰ処理部１０４と、出力インターフェースを具備し、ＲＩＰ処理後の出力データの出力制御を行う出力制御部１０６と、入力画像データに含まれるページ情報を取得し、該ページ情報を管理するページ管理部１０８と、ＲＩＰ処理後の出力データとページ管理情報に基づき、図７の仕上がり確認画像６６を生成するとともに、仕上がり確認画像６６が記憶される書籍仕上がり確認画像生成部１１０と、書籍仕上がり確認画像生成部１１０に記憶されている仕上がり確認画像６６のデータをモニタ装置１１２の表示形式に変換するモニタ制御部１１４と、を含んで構成されている。
【００６２】
図８に示す表示システム１００は、画像入力部１０２と、ＲＩＰ処理部１０４と、出力制御部１０６と、ページ管理部１０８と、書籍仕上がり確認画像生成部１１０と、モニタ制御部１１４と、を含む仕上がり確認画像生成装置と、モニタ装置１１２と、から構成してもよいし、確認画像生成装置とモニタ装置１１２を一体に構成してもよい。
【００６３】
モニタ装置１１２に映し出された仕上がり確認画像６６により書籍印刷物の仕上がり状態を確認し、裏面や下の面の透け具合が許容される範囲内であれば、ＲＩＰ処理部１０４に記憶されている出力データは、出力制御部１０６を介して次の工程に送られる。
【００６４】
図８には、表示システム１００による仕上がり確認工程の次の工程の一例を図示する。当該次の工程として、ＣＴＰ（Computer toplate）出力装置１２０によりＣＴＰ版１２２を作製するＣＴＰ出力工程と、ＣＴＰ出力装置１２０より作製されたＣＴＰ版１２２を用いて印刷装置１２４により印刷物１２６を作製する印刷工程と、加工・製本装置１２８による裁断、ソート、製本等の各工程が挙げられる。このような工程を経て書籍印刷物１０が完成する。
【００６５】
上記の如く構成された印刷物仕上がり表示方法及び表示システム（表示装置）によれば、書籍印刷物の面付け結果のプレビュー画像（図４参照）に、裏面の反転透過画像（図５参照）及び下に重ねられる面の透過画像（図６参照）を重ねて表示することで（図７参照）、仕上がり状態（裏面の画像や下面の画像の透過の程度）を印刷前に確認でき、裏面や下面の画像が表面の画像に悪影響を及ぼすか否かを判断することができる。
【００６６】
裏面や下面の画像が表面の画像に悪影響を及ぼす場合には、紙面レイアウトの変更、ページレイアウトの変更、紙種の変更等を行うことにより仕上がり品質を向上させることができる。
【００６７】
本発明は、多数のページから構成され、薄い用紙にカラー画像が印刷される雑誌、カタログ（カタログ雑誌）などの印刷を行う場合に特に効果を発揮する。
【００６８】
また、観察対象ページのプレビュー画像６０（図４参照）のみを表示する通常表示モードと、裏面の反転透過画像６２（図５参照）及び下面の透過画像６４（図６参照）を重ねて表示する仕上がり確認画像表示モードと、を切り換える切換手段を備える態様が好ましい。かかる態様において、反転透過画像６２のみを表示する反転透過画像モードや透過画像６４のみを表示する透過画像モードを備え、これらの表示モードを選択的に切換可能に構成するとより好ましい。さらに、プレビュー画像６０に反転透過画像６２のみを重ねて表示するモードやプレビュー画像６０に透過画像６４のみを重ねて表示するモードを備えてもよい。
【００６９】
さらにまた、上述した印刷物仕上がり表示方法の各工程（表示装置の各機能）をコンピュータにより実現するプログラムとして構成することも可能である。すなわち、観察対象ページ（面）のプレビュー画像を生成する機能と、観察対象ページの裏面の反転透過画像を生成する機能と、観察対象ページの下に重ねられる面の透過画像を生成する機能と、プレビュー画像に反転透過画像及び透過画像を重ねて表示する機能と、を備えるプログラムを構成することも可能である。
【００７０】
〔立体表示モードの説明〕
次に、本例に適用される立体表示モードについて説明する。
【００７１】
先に説明した印刷物仕上がり表示方法は、モニタ装置１１２（図８参照）に書籍印刷物１０を立体的に表示させる立体表示機能を有している。
【００７２】
かかる立体表示モードでは、書籍印刷物１０の仕上がり状態を立体的に表示（３Ｄ表示）することができ、さらに、マウス等のユーザインターフェースを用いて画面上で書籍印刷物１０をめくる操作を実行すると、画面に表示されている書籍印刷物１０のページがめくられる動きを表示することができる。
【００７３】
図９は、立体表示モードを説明する概念図であり、書籍印刷物１０が立体的に表示される立体表示画面１６０を示す。不図示のモード切換画面により立体表示モードが選択されると、モニタ装置１１２の画面表示が図９に示す立体表示画面１６０に切り換わる。
【００７４】
図９に示す立体表示画面１６０は、画面右端に書籍印刷物１０の各ページのプレビュー一覧１６２が表示され、画面下端にはツールバー１６４が表示される。プレビュー一覧１６２は、書籍印刷物１０を構成するすべてのページが１ページから順に画面の上から下に並べられている。
【００７５】
マウスやキーボードを用いて、プレビュー一覧１６２の中から１つのページを選択すると、画面中央部に選択されたページが見開きの状態で表示される。
【００７６】
ツールバー１６４には、立体表示モードで使用可能なツールのアイコンが表示されている。使用可能なツールには、選択ツール（矢印ツール）１６６やページめくりツール１６８（手のひらのアイコン）、拡大縮小ツール１７０（拡大鏡のアイコン）などが含まれている。
【００７７】
現在表示されているページをめくる操作を行うときには、ツールバー１６４からページめくりツール１６８を選択し、マウスを操作して画面上で書籍印刷物１０のページをめくる操作を行うと（当該ページの一部をクリックした状態を維持して図９における右から左へポインタを移動させると）、マウスの操作に対応して画面上の書籍印刷物１０ページがめくられる動きが表示され、次のページを開いた状態が表示される。
【００７８】
図９には、選択されたページ（及びその前又は後ろのページ）のプレビュー画像が表示された状態を図示しているが、当該立体表示モードにおいて、先に説明した裏面の反転透過画像や下の面の透過画像を重ねて表示させることができる。すなわち、図９の立体表示画面１６０上に表示される表示切換ボタン（不図示）をクリックすると、プレビュー画像に反転透過画像及び透過画像が重ねて表示される。
【００７９】
立体表示モードにおける反転透過画像及び透過画像は、先に説明した平面表示における算出方法に対して、ページをめくる操作による浮き上がり量に対応する位置の成分を入れた計算式により求められる。
【００８０】
図１０は、立体表示モードにおける書籍印刷物１０の断面形状の概念図であり、同図は選択されたページをめくっている途中の状態（図９に図示した状態）を模式的に図示している。なお、図１０中、図３（ａ）と同一又は類似する部分には同一の符号を付し、その説明は省略する。
【００８１】
図１０に示す用紙２０はめくられているページであり、略中央部を頂点として上に凸形状となっている。用紙２０の表面ｐ１の画像部１２（テキスト部１４）は用紙２０の湾曲に応じて斜めに傾いており、用紙２０の裏面ｐ２の画像部１６は用紙２０の湾曲形状の頂点近傍に位置している。用紙２０はめくる操作の進行に応じて移動し、浮き量に対応する位置の成分は変化してゆく。
【００８２】
立体表示モードにおける用紙２０の裏面ｐ２の反転透過画像、及び用紙２２の表面ｐ３の透過画像は、図３（ａ），（ｂ）を用いて説明した平面表示と同様の方法を用いて生成することができる。立体表示モードによってページをめくる操作が行われた場合は、めくられるページの画像が移動するのに対して下部のページの画像が静止していることが、立体表示モードとの組み合わせでは有用な処理となる。
【００８３】
すなわち、めくられるページの移動に対応して反転透過画像及び透過画像を生成するとともに、これらを順次重ねて表示することで、立体表示モードにおいてプレビュー画像に反転透過画像及び透過画像が重ねて表示される。
【００８４】
上記の如く構成された立体表示モード（機能）によれば、書籍印刷物１０の仕上がり状態をより現実に近い状態で表示することができる。
【００８５】
〔応用例〕
以上説明した印刷物仕上がり表示方法は、以下に説明するワークフロー管理システム（印刷支援システム）の一機能として適用することができる。次に、上述した印刷物仕上がり表示方法の応用例として、印刷支援システムへの適用例を説明する。
【００８６】
＜ワークフロー管理システムの全体構成＞
図１１に示すワークフロー管理システム２００は、主として、リモートサーバ装置２１２と、複数の印刷処理サーバ装置２１４（２１４Ａ、２１４Ｂ）と、ジョブ作成／管理用端末装置２１６と、入稿用端末装置２１８と、校正用端末装置２２０とから構成される。例えば、リモートサーバ装置２１２、印刷処理サーバ装置２１４、及びジョブ作成／管理用端末装置２１６は印刷会社に配置され、また、入稿用端末装置２１８はデザイナーが所属する事務所に、校正用端末装置２２０は広告代理店又はクライアント（会社）にそれぞれ配置されるが、もちろん、本例に限定されるものではない。
【００８７】
リモートサーバ装置２１２は、本発明に係るワークフロー管理システムの中核をなす装置であり、インターネット２１９を介して入稿用端末装置２１８及び校正用端末装置２２０に接続されるとともに、ＬＡＮ（或いはＷＡＮ）２２１を介して各印刷処理サーバ装置２１４Ａ、２１４Ｂ及びジョブ作成／管理用端末装置２１６に接続されている。
【００８８】
各印刷処理サーバ装置２１４Ａ、２１４Ｂは、それぞれ１又は複数の印刷機に対応して設けられている。図１１に示した例では、印刷処理サーバ装置２１４Ａは、オフセット印刷機２２２及びデジタル印刷機２２４に対応し、印刷処理サーバ装置２１４Ｂは、デジタル印刷機２２６に対応している。各印刷処理サーバ装置２１４Ａ、２１４Ｂに印刷ジョブが登録されると、オンライン又はオフラインでそれぞれ対応する印刷機で印刷作業が実施される。なお、各デジタル印刷機２２４、２２６は、それぞれ印刷処理サーバ装置２１４Ａ、２１４Ｂとオンライン状態で接続されている。
【００８９】
次に、図１２〜図１４を参照しながら、各サーバ装置の機能について説明する。
【００９０】
図１２は、図１１に示したリモートサーバ装置２１２の構成を示したブロック図である。図１２に示すように、リモートサーバ装置２１２は、制御部２３０、記憶部２３２、及び通信処理部２３４から主に構成されている。実際には、リモートサーバ装置２１２は、Ｗｅｂサーバやデータベースサーバとして機能するコンピュータに専用のソフトウエアを組み込むことにより実現されるものである。
【００９１】
制御部２３０は、ＣＰＵに相当するものであり、記憶部２３２に記憶されるアプリケーション（プログラム）を実行するアプリ実行部であり、この制御部２３０によって、ジョブ登録機能、ジョブ管理機能、ユーザ管理機能、原稿保存機能、その他各種機能が実現される。
【００９２】
記憶部２３２は、外部記憶装置（ハードディスクなど）や一次記憶装置（ＲＡＭなど）に相当し、制御部２３０で実行されるアプリケーションや、入稿用端末装置２１８から入稿されたＰＤＦ原稿などの各種データ情報が保存される。
【００９３】
通信処理部２３４は、インターネット２１９を介して入稿用端末装置２１８や校正用端末装置２２０との通信処理を行うインターフェース部や、ＬＡＮ２２１を介して印刷処理サーバ装置２１４やジョブ作成／管理用端末装置２１６との通信処理を行うインターフェース部である。
【００９４】
本応用例では、後述するように、ジョブ作成／管理用端末装置２１６がサーバ管理機能を備えており、ジョブ作成／管理用端末装置２１６からリモートサーバ装置２１２の各種設定、管理などが行われる。なお、リモートサーバ装置２１２に操作部２３６や表示部２３８を設け、リモートサーバ装置２１２で各種設定、管理などを直接行うようにしてもよい。
【００９５】
図１３は、図１１に示した印刷処理サーバ装置２１４の構成を示したブロック図である。図１３に示すように、印刷処理サーバ装置２１４は、上述したリモートサーバ装置２１２と同様な構成を備えており、制御部２４２、記憶部２４４、及び通信処理部２４６から主に構成されている。実際には、印刷処理サーバ装置２１４は、Ｗｅｂサーバやデータベースサーバとして機能するコンピュータに専用のソフトウエアを組み込むことにより実現されるものである。
【００９６】
制御部２４２は、ＣＰＵに相当するものであり、記憶部２４４に記憶されるアプリケーション（プログラム）を実行するアプリ実行部であり、この制御部２４２によって、プレフライト機能、分版ＲＩＰ機能、その他各種機能が実現される。
【００９７】
記憶部２４４は、外部記憶装置（ハードディスクなど）や一次記憶装置（ＲＡＭなど）に相当し、制御部２４２で実行されるアプリケーションや、リモートサーバ装置２１２から送信されたＰＤＦ原稿などの各種データ情報が保存（又は一次保存）される。
【００９８】
通信処理部２４６は、ＬＡＮを介して印刷処理サーバ装置２１４やジョブ作成／管理用端末装置２１６との通信処理を行うインターフェース部や、印刷処理サーバ装置２１４に対応して設けられる印刷機との通信処理を行うインターフェース部である。
【００９９】
また、本応用例では、リモートサーバ装置２１２と同様に、ジョブ作成／管理用端末装置２１６から印刷処理サーバ装置２１４の各種設定、管理などが行われるが、印刷処理サーバ装置２１４に操作部２４８や表示部２５０を設け、印刷処理サーバ装置２１４で各種設定、管理などを直接行うようにしてもよい。
【０１００】
図１４は、各サーバ装置２１２，２１４の機能分担を示した図である。
【０１０１】
図１４に示すように、各サーバ装置２１２，２１４は、Ｗｅｂサーバ機能を備えている。例えば、各端末装置２１６，２１８，２２０からリモートサーバ装置２１２にログインが行われる際、このＷｅｂサーバ機能によって端末装置側にログイン画面が提供される。
【０１０２】
リモートサーバ装置２１２は、ジョブを登録する機能（ジョブ登録機能）や、ジョブ登録機能によって登録されたジョブの進捗状況を管理する機能（ジョブ管理機能）を備えている。上述したように、ジョブは、１又は複数の作業（タスク）から構成され、１つの印刷物の生産の一連の工程を表すものである。なお、ジョブ作成機能を有する端末装置（ジョブ作成／管理用端末装置２１６）で作成されたジョブは、リモートサーバ装置２１２の記憶部２３２に保存される。
【０１０３】
また、リモートサーバ装置２１２は、ジョブ毎に印刷物の生産を協力して行う担当者（デザイナー、広告代理店、クライアント、印刷会社など）のアクセス権限を設定、管理する機能（ユーザ管理機能）を備えており、各端末装置２１６，２１８，２２０を操作する担当者は、ユーザ管理機能によって設定されたアクセス権限の範囲内で操作可能となる。
【０１０４】
更に、リモートサーバ装置２１２は、入稿担当者（例えばデザイナー）から入稿されたＰＤＦ原稿を保存する機能（原稿保存機能）や、後述するように印刷処理サーバ装置２１４でプレフライト及び分版ＲＩＰが行われた後に、端末装置側でページ操作を行うためにページサムネイル（縮小ページ）を表示するためにサムネイル及びページＰＤＦを作成する機能（サムネイル作成機能、ページＰＤＦ作成機能）や、端末装置側でページ操作が行われた履歴情報を保存する機能（ページ操作情報保存機能）、その他各種機能（分版画像送信機能、校正情報保存機能、校正入りＰＤＦ作成機能、及びジョブ承認機能）を備えている。原稿送信機能を有する端末装置（入稿用端末装置２１８）から入稿された原稿（ＰＤＦ原稿）や、校正機能を有する端末装置（校正用端末装置２２０）で校正された校正履歴などは、リモートサーバ装置２１２の記憶部２３２に保存される。
【０１０５】
印刷処理サーバ装置２１４は、リモートサーバ装置２１２に入稿されたＰＤＦ原稿が、印刷に適したデータであるか否か（例えば、指定されたフォントがこのシステムで使用可能なフォントであるか否かなど）を判定するプリフライト処理を実行する機能（プリフライト機能）や、ＰＤＦ原稿に含まれるＲ（レッド）、Ｇ（グリーン）、Ｂ（ブルー）の画像を、印刷に適したＣ（シアン）、Ｍ（マゼンダ）、Ｙ（イエロー）、Ｋ（ブラック）の画像に分版した状態でビットマップに変換（ラスター変換）する機能（分版ＲＩＰ機能）を備えている。また、印刷処理サーバ装置２１４は、対応する印刷機への印刷ジョブを登録する機能（印刷ジョブ登録機能）を備えている。
【０１０６】
ここでは、一例として、図１４に示した各機能が２つのサーバ装置（リモートサーバ装置２１２、印刷処理サーバ装置２１４）に機能分担された構成を例示したが、特にこれに限定されず、１つのサーバ装置で全機能を実現するようにしてもよいし、３つ以上のサーバ装置に機能分担させるようにしてもよい。
【０１０７】
次に、図１５及び図１６を参照しながら、各端末装置の機能について説明する。
【０１０８】
図１５は、図１１に示した各端末装置２１６，２１８，２２０の構成を示したブロック図である。なお、図１５では、説明の便宜上、各端末装置２１６，２１８，２２０で機能分担されている各機能をまとめて表示している。
【０１０９】
図１５に示すように、各端末装置２１６，２１８，２２０は、制御部２５４、記憶部２５６、通信処理部２５８、操作部２６０、及び表示部２６２から主に構成されている。実際には、各端末装置２１６，２１８，２２０は、Ｗｅｂブラウザソフトウエアを組み込んだ汎用パソコンにより実現されるものである。
【０１１０】
制御部２５４は、ＣＰＵに相当するものであり、記憶部２５６に記憶されるアプリケーション（プログラム）を実行するアプリ実行部であり、この制御部２５４によって、ジョブ作成機能、原稿送信機能、ページ操作機能、その他各種機能が実現される。
【０１１１】
記憶部２５６は、外部記憶装置（ハードディスクなど）や一次記憶装置（ＲＡＭなど）に相当し、制御部２５４で実行されるアプリケーションやリモートサーバ装置２１２に送信するＰＤＦ原稿などが保存される。また、後述するように、リモートサーバ装置２１２から送信されるサムネイルＰＤＦなども記憶部２５６に保存される。
【０１１２】
記憶部２５６に保存されるアプリケーション（端末プログラム）は、例えば、Ｊａｖａ（登録商標）の言語で記述されたプログラムである。この端末プログラムは、各端末装置２１６，２１８，２２０のＷｅｂ閲覧機能を利用して、リモートサーバ装置２１２にログインした後、リモートサーバ装置２１２からインターネット２１９を介して端末装置にダウンロード（インストール）される。また、インターネット２１９を介さずに、外部記憶媒体を利用して端末装置に端末プログラムを直接インストールするようにしてもよい。
【０１１３】
端末プログラムについては、端末用途毎に異なるプログラムを用いてもよいし、全端末装置で共通のプログラムとしてもよい。前者の場合には、プログラムのバージョンアップ作業を必要最小限の範囲にとどめることができ、ユーザの利便性が向上する。また、後者の場合には、リモートサーバ装置２１２で管理されるユーザ情報に応じて、各機能の使用可否を選択的に実施できるようにする態様が好ましく、端末プログラムの共通化によってコストダウンを図ることができる。
【０１１４】
通信処理部２５８は、インターネット２１９又はＬＡＮ２２１を介してリモートサーバ装置２１２との通信処理を行うインターフェース部である。
【０１１５】
操作部２６０は、キーボードやマウスなどに相当するものであり、後述する表示部２６２の表示画面上で各種ファイル操作、コマンド操作などの操作手段として機能する。
【０１１６】
表示部２６２は、モニタに相当するものであり、記憶部２５６に記憶されるアプリケーションによって提供される各種画面（ＧＵＩ）を表示する手段として機能する。
【０１１７】
図１６は、各端末装置２１６，２１８，２２０の機能分担を示した図である。
【０１１８】
図１６に示すように、各端末装置２１６，２１８，２２０は、リモートサーバ装置２１２によって公開されるＷｅｂページを閲覧する機能を有しており、リモートサーバ装置２１２から提供されるログイン画面でログインＩＤ及びパスワードの入力を行うことにより、リモートサーバ装置２１２で設定されるアクセス権限の範囲内で各種操作が可能となる。
【０１１９】
入稿用端末装置２１８は、ＰＤＦ原稿をリモートサーバ装置２１２に送信する機能（原稿送信機能）、リモートサーバ装置２１２に保存した原稿のページ操作を行う機能（ページ操作機能）、及び校正担当者（広告代理店又はクライアント）による校正結果を確認する機能（校正確認機能）を備えている。
【０１２０】
校正用端末装置２２０は、リモートサーバ装置２１２に入稿されたＰＤＦ原稿を校正する機能（校正機能）、及び校正作業が完了（校了）したことを承認する機能（承認機能）を備えている。校正機能には、分版画像合成機能、検版画像作成機能、及び校正情報生成機能が含まれる。
【０１２１】
ジョブ作成／管理用端末装置２１６は、ジョブを作成する機能（ジョブ作成機能）、校正担当者（広告代理店又はクライアント）による承認処理が行われた後、リモートサーバ装置２１２を介して印刷処理サーバ装置２１４に印刷指示を行う機能（印刷指示機能）、及び各サーバ装置２１２，２１４の各種設定や管理を行う機能（サーバ管理機能）を備えている。なお、ジョブ作成機能は、既にリモートサーバ装置２１２に登録されているジョブを変更又はキャンセルしたり、印刷物の生産を協力して行う担当者（デザイナー、広告代理店、クライアント、印刷会社）のアクセス権限を設定又は変更したりする機能を含む。
【０１２２】
本応用例では、図１６に示したように、入稿用端末装置２１８、校正用端末装置２２０、及びジョブ作成／管理用端末装置２１６に機能分担させているが、特にこれに限定されるものではなく、端末用途に応じて機能分担を決定すればよい。例えば、入稿用端末装置２１８及び校正用端末装置２２０の各機能を１つの端末装置（入稿用／校正用端末装置）に統合して実現するようにしてもよい。また、ジョブ作成担当者が印刷会社以外の担当者（例えば広告代理店の担当者など）である場合には、ジョブ作成／管理用端末装置２１６の各機能を２つの端末装置（ジョブ作成用端末装置、管理用端末装置）に分割して、ジョブ作成用端末装置はインターネット２１９経由でリモートサーバ装置２１２に接続するように構成してもよい。
【０１２３】
＜ワークフローの説明＞
次に、図１７を参照しながら、ワークフロー管理システム２００による全体的なプロセス（ワークフロー）について説明する。ここでは、一例として、ジョブ作成担当者（印刷会社）がジョブ作成を行い、原稿作成者兼入稿担当者（デザイナー）がＰＤＦ原稿の入稿を行い、校正担当者（広告代理店又はクライアント）が校正を行い、校正作業が完了（校了）するまで再入稿、校正が繰り返され、校正担当者（広告代理店又はクライアント）による承認が行われた後、印刷指示担当者（印刷会社）が印刷指示を行うものとする。
【０１２４】
（ジョブ作成工程）
まず、ジョブ作成担当者（印刷会社）は、ジョブ作成／管理用端末装置２１６からリモートサーバ装置２１２にログインした後、ジョブ作成／管理用端末装置２１６のジョブ作成機能を利用して、依頼を受けた印刷物の作製に関するジョブを作成する（ステップＳ１０）。上述したように、ジョブは、１又は複数の作業（タスク）から構成され、１つの印刷物の生産の一連の工程を表すものである。このとき、印刷物の生産を協力して行う担当者（デザイナー、広告代理店、クライアント、印刷会社）の指定（アクセス権限の設定）もあわせて行う。このようにして、ジョブ作成／管理用端末装置２１６でジョブが作成されると、その結果はリモートサーバ装置２１２に通知され、リモートサーバ装置２１２でジョブ登録が行われる（ステップＳ１２）。また、これと同時に、各担当者のアクセス権限も設定される。図示は省略したが、リモートサーバ装置２１２にジョブ登録が行われたとき、登録されたジョブに関連する担当者全員（又はそのうちの一部）に電子メールなどでジョブが登録されたことを通知するようにしてもよい。
【０１２５】
（入稿工程）
次に、印刷物の原稿（ＰＤＦ原稿）の作成が完了すると、入稿担当者（デザイナー）は、入稿用端末装置２１８の表示部２６２に表示されるログイン画面３００（図１８）で自分のログインＩＤ及びパスワードを入力して、リモートサーバ装置２１２にログインする。ログイン後、入稿用端末装置２１８にはジョブ一覧画面３０２Ａ（図１９）が表示され、リモートサーバ装置２１２に登録されているジョブが一覧表示される。
【０１２６】
このとき、ログイン中の入稿担当者にアクセス権限が割り当てられているジョブのみを表示する態様が好ましい。入稿担当者が、操作部２６０のマウス操作によって、一覧表示されたジョブの中からＰＤＦ原稿のアップロード対象となるジョブを選択して、アップロードボタン３０４を押すと、入稿用端末装置２１８の表示部２６２にはアップロード画面３０６Ａ（図２０）が表示される。入稿担当者は、アップロード画面３０６Ａに一覧表示されるファイル一覧の中からリモートサーバ装置２１２に送信する１又は複数のファイル（ＰＤＦ原稿）を選択し、ファイル選択ボタン３０８を押すと、下段の送信ファイルリストウインドウ３１０に選択されたファイルが表示される。
【０１２７】
本応用例では、３つのＰＤＦ原稿（ファイル名「a001.pdf」、「a002.pdf」、「a003.pdf」）が送信ファイルリストウインドウ３１０に表示されている。なお、各ＰＤＦ原稿は、それぞれ１又は複数のページから構成される。その後、入稿担当者が、追加アップロードボタン３１２を押すと、入稿用端末装置２１８からリモートサーバ装置２１２へのＰＤＦ原稿のアップロード（送信）が開始される（図１７のステップＳ１４）。
【０１２８】
このように本実施形態では、１又は複数のＰＤＦ原稿を選択してリモートサーバ装置２１２にアップロード可能（入稿可能）であるため、全ての原稿ファイル（１又は複数のＰＤＦ原稿）を一括入稿することもできるし、一部の原稿ファイルを部分的に入稿することができる。したがって、再入稿する場合には、修正ページのみからなるＰＤＦ原稿を選択して部分入稿することもできる。
【０１２９】
ＰＤＦ原稿のアップロードが完了すると、入稿用端末装置２１８の表示部２６２にはジョブ一覧画面３０２Ｂ（図２１）が表示される。ここでは、初回入稿時には、全ての原稿ファイル（ＰＤＦ原稿）が一括入稿されたものとする（即ち、入稿率１００％）。
【０１３０】
リモートサーバ装置２１２は、入稿用端末装置２１８からアップロードされたＰＤＦ原稿を記憶部２３２に保存するとともに、そのＰＤＦ原稿を印刷処理サーバ装置２１４に送信する（図１７のステップＳ１６）。
【０１３１】
印刷処理サーバ装置２１４は、上述したプレフライト機能及び分版ＲＩＰ機能によって、リモートサーバ装置２１２から送信されたＰＤＦ原稿のプレフライト処理及び分版ＲＩＰを行う（ステップＳ１８）。これにより、入稿されたＰＤＦ原稿が、印刷に適したデータであるか否か（例えば、指定されたフォントがこのシステムで使用可能なフォントであるか否かなど）判定されるとともに、ＰＤＦ原稿に含まれるＲ（レッド）、Ｇ（グリーン）、Ｂ（ブルー）の画像を、印刷に適したＣ（シアン）、Ｍ（マゼンダ）、Ｙ（イエロー）、Ｋ（ブラック）の画像に分版した状態でビットマップに変換（ラスター変換）される。そして、印刷処理サーバ装置２１４からリモートサーバ装置２１２に対して、プリフライト結果を示すレポート（プリフライトレポート）が通知されるとともに、ページ分版画像が送信される。
【０１３２】
リモートサーバ装置２１２は、印刷処理サーバ装置２１４からプレフライトレポート及びページ分版画像を受信すると、入稿用端末装置２１８に送信完了通知を行う。このとき、プレフライトレポートもあわせて通知される。
【０１３３】
また、リモートサーバ装置２１２は、印刷処理サーバ装置２１４から受信したページ分版画像を基にして、ＰＤＦ原稿の各ページのＰＤＦ（ページＰＤＦ）を作成し、記憶部２３２にページＰＤＦを保存するとともに、ページＰＤＦのサムネイル（ページサムネイル）を作成して、入稿用端末装置２１８にページサムネイルを送信する（ステップＳ２０）。リモートサーバ装置２１２から入稿用端末装置２１８に送信されたページサムネイルは、入稿用端末装置２１８の記憶部２５６に保存（又は一次保存）され、後述するように入稿用端末装置２１８の表示部２６２の所定のウインドウ内に一覧表示される。
【０１３４】
ところで、入稿用端末装置２１８は、リモートサーバ装置２１２から通知されたプレフライトレポートにエラー又は警告が存在する場合には、ジョブ一覧画面３０２Ｂ（図２１）の上部に「プリフライトエラーがあります。ジョブ詳細から確認してください。」というエラーメッセージ３１４が表示される。このとき、入稿担当者が、操作部２６０のマウス操作によって、ジョブ詳細表示ボタン２１６を押すと、ジョブ詳細画面３１８（図２２）が表示される。ここでは、一例として、ジョブ詳細画面３１８には、入稿されたＰＤＦ原稿に対するプレフライト処理の結果として、エラー３件と警告１０件が表示されている。更に、ジョブ詳細画面３１８の詳細確認ボタン３２０を押すと、プレフライトレポート画面３２２（図２３）が表示され、入稿担当者は、より詳細なエラー情報を確認することができる。
【０１３５】
ＰＤＦ原稿の修正後、入稿担当者は、入稿用端末装置２１８からリモートサーバ装置２１２に再びログインを行い、入稿用端末装置２１８の表示部２６２にはジョブ一覧画面３０２Ｃ（図２４）が表示される。入稿担当者は、操作部２６０のマウス操作によって、一覧表示されたジョブの中からＰＤＦ原稿のアップロード対象となるジョブを選択し、アップロードボタン３０４を押すと、入稿用端末装置２１８の表示部２６２にはアップロード画面３０６Ｂ（図２５）が表示される。
【０１３６】
そして、アップロード画面３０６Ｂに一覧表示されるファイル一覧の中から修正ページのみからなるＰＤＦ原稿（以下、「修正ＰＤＦ原稿」という。）を選択し、ファイル選択ボタン３０８を押すと、下段の送信ファイルリストウインドウ３１０に選択されたファイルが表示される。本応用例では、修正ＰＤＦ原稿（ファイル名「b001.pdf」）が選択され、送信ファイルリストウインドウ３１０に表示されている。その後、入稿担当者が、書き換えアップロードボタン３２６を押すと、入稿用端末装置２１８からリモートサーバ装置２１２への修正ＰＤＦ原稿のアップロード（送信）が開始される。
【０１３７】
修正ＰＤＦ原稿のアップロードが完了すると、初回入稿時と同様に、印刷処理サーバ装置２１４によって、修正ＰＤＦ原稿に対するプリフライト処理及び分版ＲＩＰが行われる。そして、入稿用端末装置２１８の表示部２６２にはジョブ一覧画面３０２Ｄ（図２６）が表示される。ここでは、プリフライト処理の結果、修正ＰＤＦ原稿には、エラー及び警告が存在しなかったものとする（即ち、図２６では、図２１に示したエラーメッセージ３１４は表示されていない。）。
【０１３８】
続いて、入稿担当者が、操作部２６０のマウス操作によって、ジョブ一覧画面３０２Ｄのページ一覧ボタン３２４を押すと、ページ一覧画面３２８Ａ（図２７）が表示される。ページ一覧画面３２８Ａには、「現在のページ構成一覧」タブ３３０、及び「ページ操作」タブ３３２が含まれており、図２７では「現在のページ構成一覧」タブ３３０が開かれている状態を表している。このとき、ページ一覧画面３２８Ｂの上部には、「未割り当てのページがあります。［ページ操作］タブを選択して編集してください。」という警告メッセージ３３４が表示される。初回入稿時には、印刷物の各ページに対して、入稿された原稿（ＰＤＦ原稿）の各ページは自動的にページ割り当てが行われるのに対し、再入稿時には、入稿された修正ＰＤＦ原稿の各ページ（修正ページ）は自動的に割り当てられず、上記のような警告メッセージ３３４が表示される。
【０１３９】
このような状態において、入稿担当者が、操作部２６０のマウス操作によって、「ページ操作」タブ３３２を開くと、図２８に示すページ一覧画面３２８Ｂに切り替わり、ページ操作可能な状態となる。このとき、ページ一覧画面３２８Ｂの上段の「未割り当てページ一覧」ウインドウ３３６には、再入稿された修正ＰＤＦ原稿の各ページが一覧表示され、下段の「割り当て済みページ済み一覧」ウインドウ３３８には、既にページ割り当てが完了しているＰＤＦ原稿の各ページが一覧表示される。
【０１４０】
このとき、入稿担当者が、操作部２６０のマウスの操作によって、例えば、「未割り当てページ一覧」ウインドウ３３６に表示されている修正ページＰBをドラッグした状態で、「割り当て済みページ済み一覧」ウインドウ３３８に表示されているページＰ2に重なるように移動してドロップすると、ページＰ2が修正ページＰBに置き換えられる。また、修正ページＰBをドラッグした状態で、「割り当て済みページ済み一覧」ウインドウ３３８に表示されている隣接するページＰ3、Ｐ4間に移動してドロップすると、隣接するページＰ3、Ｐ4間に修正ページＰBを挿入される。なお、「割り当て済みページ済み一覧」ウインドウ３３８に割り当てられた修正ページＰBは、「未割り当てページ一覧」から削除される。
【０１４１】
このように、「未割り当てページ一覧」ウインドウ３３６に表示されている各ページ（再入稿された原稿の各ページ）を、「割り当て済みページ済み一覧」ウインドウ３３８に表示されているページと置き換えるか、又は「割り当て済みページ済み一覧」ウインドウ３３８に表示されているページ間に挿入することによって、再入稿された原稿の各ページに対するページ割り当てが行われる。
【０１４２】
また、「割り当て済みページ済み一覧」ウインドウ３３８に表示されている各ページは、操作部２６０のマウス操作によって、ページ位置変更やページ削除が可能であり、ページの並び順を自由に変更することができる。なお、説明は省略するが、初回入稿時でも、ページ一覧画面から「ページ操作」タブ３３２を開くことにより、同様なページ編集を行うことができる。
【０１４３】
「未割り当てページ一覧」ウインドウ３３６に表示されている全ページのページ割り当てが完了し、入稿担当者が保存ボタン３４０を押すと、リモートサーバ装置２１２は、ページ操作情報を記憶部２４４に保存するとともに、校正用端末装置２２０に校正準備完了通知を行う。このとき、図２９に示すように、ページ一覧画面３２８Ｃは、「現在のページ 構成一覧」タブ３３０に切り替わり、「未割り当てのページの編集が完了しました。」というメッセージ３４２が表示される。
【０１４４】
なお、「割り当て済みページ済み一覧」ウインドウ３３８に表示されているページを、「未割り当てページ一覧」ウインドウ３３６に表示されているページ（再入稿された原稿のページ）に置き換えた場合、置き換え前の古いページは完全に削除されるのではなく、リモートサーバ装置２１２の記憶部２３２に保存されており、リモートサーバ装置２１２のページ操作情報保存機能によってページの履歴管理が行われている。このため、ページの置き換えが行われた後でも、元の状態に復元することが可能である。
【０１４５】
このようにして、入稿担当者が入稿用端末装置２１８でページ操作を行い（図１７のステップＳ２２）、それが完了すると、リモートサーバ装置２１２は、ページ操作情報を記憶部２４４に保存するとともに、校正用端末装置２２０に校正準備完了通知を行う（ステップＳ２４）。
【０１４６】
（校正工程）
校正用端末装置２２０は、リモートサーバ装置２１２から校正準備完了通知を受信すると、校正担当者（広告代理店又はクライアント）による校正が可能な状態となる。このとき、リモートサーバ装置２１２は、ページ分版画像を校正用端末装置２２０に送信し（ステップＳ２６）、校正用端末装置２２０は、リモートサーバ装置２１２から受信したページ分版画像を記憶部２３２に保存（又は一次保存）するとともに、校正担当者の端末操作に応じて、ページ分版画像合成や検版画像作成を行う（ステップＳ２８）。
【０１４７】
次に、校正担当者は、校正用端末装置２２０の表示部２６２に表示されるログイン画面４００（図３０）で自分のログインＩＤ及びパスワードを入力して、リモートサーバ装置２１２にログインする。ログイン後、校正用端末装置２２０にはジョブ一覧画面４０２（図３１）が表示され、リモートサーバ装置２１２に登録されているジョブが一覧表示される。このとき、ログイン中の校正担当者にアクセス権限が割り当てられているジョブのみを表示する態様が好ましい。校正担当者が、操作部２６０のマウス操作によって、一覧表示されたジョブの中から校正対象のジョブを選択し、ジョブ一覧表示ボタン２０４を押すと、校正用端末装置２２０の表示部２６２にはページ一覧画面４０６Ａ（図３２）が表示される。
【０１４８】
そして、校正担当者が、操作部２６０のマウス操作によって、ページ一覧画面４０６Ａに表示されたページ一覧の中から校正対象ページを選択して、校正ツールボタン４１２を押すと、図３３に示すような校正ツール画面４１４が表示される。これにより、校正担当者は、図形／文字ツール群４１６を利用して、ページ表示ウインドウ４１８に表示された校正対象ページの校正を行うことができる（図１７のステップＳ３０）。図３３では、一例として、校正担当者によって、画像の差し替えなどの注釈が校正対象ページ上に付加された状態が示されている。
【０１４９】
このようにして校正が終了した後、校正担当者が終了ボタン４２０を押すと、校正用端末装置２２０の表示部２６２には、図３４に示すページ一覧画面４０６Ｂが表示される。校正担当者は、校正対象ページの校正結果がＯＫである場合には、校正ＯＫボタン４２２を押し、ＮＧである場合には、校正ＮＧボタン４２４を押す。ここでは、校正者Ｂによる校正が行われ、校正対象ページの校正結果がＮＧであることを表している。
【０１５０】
その後、校正用端末装置２２０は、校正者によって行われた校正情報を生成し、リモートサーバ装置２１２に送信する（図１７のステップＳ３２）。そして、リモートサーバ装置２１２は、校正用端末装置２２０から受信した校正情報を記憶部２３２に保存し（ステップＳ３４）、入稿用端末装置２１８に対して校正完了通知を行う。これと同時に、リモートサーバ装置２１２は、校正入りＰＤＦを作成し、入稿用端末装置２１８に送信を行う（ステップＳ３６）。
【０１５１】
（校正確認工程〜承認工程）
入稿担当者は、リモートサーバ装置２１２から受信した校正入りＰＤＦを表示画面に表示して校正内容を確認する（ステップＳ３８）。そして、入稿担当者は、その校正内容に従ってＰＤＦ原稿の修正を行い、入稿用端末装置２１８から再入稿を行う。
【０１５２】
続いて、校正担当者が、校正用端末装置２２０からリモートサーバ装置２１２に再びログインすると、校正用端末装置２２０の表示部２６２にはジョブ一覧画面５００Ａ（図３５）が表示される。校正担当者は、操作部２６０のマウス操作によって、一覧表示されたジョブの中から校正対象のジョブを選択し、ページ一覧表示ボタン５０２を押すと、ページ一覧画面５０４Ａ（図３６）が表示される。更に、ページ一覧画面５０４Ａに表示されたページの中から校正対象ページを選択し、校正ツールボタン５１０を押すと、校正ツール画面５１２Ａ（図３７）が表示される。
【０１５３】
そして、校正ツール画面５１２Ａの上部に表示されるプルダウンメニュー５１４の中から「過去版と比較」を選択すると、図３８に示すように、校正ツール画面３１２Ｂのページ表示ウインドウ５１８には、最新版ページ（左側のページ）と過去版ページ（右側のページ）が横に並んで表示される。更に、この状態において、「差分を表示」ボタン５１６を押すと、図３９に示すように、最新版ページと過去版ページの差分が視覚的に理解しやすいように表示される。ここでは、最新版ページ上で、過去版ページからの変更部分のみが常時表示され、未変更部分は一定間隔で点滅表示される。もちろん、差分表示方法はこれに限定されず、変更部分を枠で囲んだり、変更部分に注釈を付加したりしてもよい。
【０１５４】
これにより、校正担当者は、指示どおり原稿修正が行われたか否か容易に確認することができる。その後、校正担当者が終了ボタン５２０を押すと、校正用端末装置２２０の表示部２６２にはページ一覧画面５０４Ｂ（図４０）が表示される。そして、校正結果がＯＫである場合には、校正ＯＫボタン５２２を押す。このとき、原稿の全ページの校正が完了している場合には、図４０に示すように、「すべてのページの校正が完了しています。」というメッセージ５２４が表示される。このようにして、原稿の全ページの校正が完了するまで再入稿、校正が繰り返され、全ページの校正が完了（校了）すると（ステップＳ４０）、その結果は、リモートサーバ装置２１２に通知され、リモートサーバ装置２１２にジョブ承認が登録される（ステップＳ４２）。
【０１５５】
（印刷指示工程）
印刷指示担当者（印刷会社）が、ジョブ作成／管理用端末装置２１６からリモートサーバ装置２１２にログインすると、ジョブ作成／管理用端末装置２１６の表示部２６２にはジョブ一覧画面５３０（図４１）が表示される。
【０１５６】
図４１に示すジョブ一覧画面５３０に一覧表示されたジョブの中から仕上がり状態を確認するジョブを選択し、仕上がり表示ボタン（不図示）を押すと、仕上がり表示画面（図１、図９参照）に切り換わる。仕上がり表示画面において、プレビュー一覧から所望のページを選択すると、選択されたページのプレビュー画像に選択されたページの裏面の反転透過画像及び選択されたページの下に重ねられるページの透過画像が重ねて表示される。
【０１５７】
印刷担当者は、仕上がり状態確認画面を確認し、裏面の反転透過画像や下面の透過画像が選択ページの画像に影響があると判断した場合には、面付け変更や紙種の変更などの対応を行うことができる。一方、選択ページの画像に影響がないと判断した場合には印刷が実行される。なお、図４１に示すジョブ一覧画面５３０に一覧表示されたジョブの中で「３Ｄビュー欄」にチェックが入っているものは、立体表示が可能であることを意味している。
【０１５８】
そして、ジョブ一覧画面５３０に一覧表示されたジョブの中から印刷指示を行うジョブを選択し、印刷指示ボタン５３２を押すと、ジョブ作成／管理用端末装置２１６からリモートサーバ装置２１２に印刷指示が行われ（ステップＳ４４）、更に、リモートサーバ装置２１２は、印刷ジョブを作成して、印刷処理サーバ装置２１４に送信する（ステップＳ４６）。例えば、この印刷ジョブは、ＪＤＦ対応のＰＤＦ／Ｘに準拠したファイル形式で作成され、印刷処理サーバ装置２１４に提供される。印刷処理サーバ装置２１４は、リモートサーバ装置２１２から印刷ジョブを受信すると、当該印刷ジョブを登録する（ステップＳ４８）。
【０１５９】
このようにして、印刷処理サーバ装置２１４に対応して設けられる印刷機の印刷準備が完了し、登録された印刷ジョブに従って各印刷機で印刷作業が実施される。図１１で説明した各印刷機２２４，２２６はＪＤＦに対応した機器であり、印刷処理サーバ装置２１４から受け取ったＪＤＦの記述に従い、出力までの自動処理を行うことができる。
【０１６０】
このように本実施形態に係るワークフロー管理システムは、印刷会社にとってみれば、上流工程で完全なデータが入稿されるようになるので自動処理が可能となるとともに、各ジョブの進捗状況を容易に把握することができる。また、印刷指示を電子発行することができる。
【０１６１】
また、校正担当者（広告代理店やクライアントなど）にとってみれば、校正指示をすぐにできるとともに、校正履歴を確認することができ、また、原稿作成者（デザイナーなど）による編集内容をすぐに確認できる。また、承認結果を証拠として残せるメリットもある。
【０１６２】
特に、本実施形態によれば、印刷物の一部のページを部分的に入稿できるとともに、新たに入稿された原稿の各ページを、既にページ割り当て済みの原稿のページと置き換え、又はページ間に挿入することによって、ページ割り当てを行うことができる。このため、再入稿が必要な場合でも、全ページを入稿せずに、修正ページのみを入稿することができ、入稿後にページの並び順を編集することができる。また、複数の原稿作成者によって印刷物の原稿が作成される場合、各自の担当ページを作成した後、他のページの完成を待たずに入稿することができる。したがって、ページ並び編集を一元的に管理することができ、入稿の作業効率が高まり、迅速な入稿が可能となる。なお、ページの置き換えが行われた場合、古いページはシステムから完全に削除されるのではなく、ページの履歴管理によって復元することができる。
【０１６３】
また、本応用例においては、上述した部分入稿を実現するにあたって、印刷物の原稿をページ毎の版管理（バージョン管理）することによって、印刷物の版管理を行っている。即ち、図４２に示すように、ページ毎に版数が管理されている。各ページの最新版数は、必ずしも同一である必要はなく、異なっていてもよい。図４２では、一例として、各ページの最新版数は、１ページ及び２ページが２版であり、３ページが１版であり、４ページが３版である。なお、各ページの最新版数だけでなく、古い版数のページもページ毎にシステム（リモートサーバ装置２１２の記憶部２３２）に保存されている。そして、図４３に示すように、印刷物の版管理は、印刷物を構成するページの版の組み合わせ情報として保持される。図４３では、一例として、印刷物の初版（１版）は、１ページ（１版）及び２ページ（１版）のみから構成され、その後、ページ毎に部分入稿が行われ、各ページの版数がページ毎に随時更新され、印刷物の５版では、１ページ及び２ページはそれぞれ２版であり、３ページは１版であり、４ページは３版である。
【０１６４】
このようにページ毎の版管理（バージョン管理）に基づいて印刷物の版管理を行うことにより、上述した部分入稿をより効果的に実現することができる。この結果、原稿の一部のページのみを部分的に修正が必要な場合でも、原稿の全ページを新たに入稿せずに、修正したページのみを部分入稿することができ、入稿作業の迅速化、効率化を図ることが可能となる。
【０１６５】
本応用例では、印刷工程の中で印刷物（書籍印刷物）の仕上がり状態を確認する態様を示したが、印刷物の仕上がり状態の確認は校正工程において（図１の校正用端末装置２２０により）行ってもよい。また、原稿ファイル作成工程（図１の入稿用端末装置２１８により）行ってもよい。
【０１６６】
すなわち、上述した印刷物仕上がり表示方法の各工程をコンピュータにより実行可能なプログラムとして構成することが可能である。該仕上がり表示プログラムを図１１に図示した端末装置（サーバ装置）にインストールしておくと、上記応用例に示した各工程において、適宜印刷物の仕上がり状態を確認することが可能となる。
【０１６７】
以上、本発明に係る画像表示方法及び画像表示装置並びに印刷支援システムについて詳細に説明したが、本発明は、以上の例には限定されず、本発明の要旨を逸脱しない範囲において、各種の改良や変形を行ってもよいのはもちろんである。
【図面の簡単な説明】
【０１６８】
【図１】書籍印刷物の立体図
【図２】図１に示す書籍印刷物の見開きの図
【図３】画像透過のシミュレーションを説明する図
【図４】プレビュー画像を説明する図
【図５】反転透過画像を説明する図
【図６】透過画像を説明する図
【図７】仕上がり状態確認画面を説明する図
【図８】本発明の実施形態に係る画像表示装置の概略構成を示すブロック図
【図９】立体表示モードを説明する図
【図１０】立体表示モードの概念図
【図１１】本発明の応用例に係るワークフロー管理システムの全体構成を示した図
【図１２】リモートサーバ装置の構成を示したブロック図
【図１３】印刷処理サーバ装置の構成を示したブロック図
【図１４】各サーバ装置の機能分担を示した図
【図１５】各端末装置の構成を示したブロック図
【図１６】各端末装置の機能分担を示した図
【図１７】ワークフロー管理システムによる全体的なプロセスを示した図
【図１８】入稿用端末装置のログイン画面を示した図
【図１９】入稿用端末装置のジョブ一覧画面を示した図
【図２０】入稿用端末装置のアップロード画面を示した図
【図２１】入稿用端末装置のジョブ一覧画面を示した図
【図２２】入稿用端末装置のジョブ詳細画面を示した図
【図２３】入稿用端末装置のプレフライトレポート画面を示した図
【図２４】入稿用端末装置のジョブ一覧画面を示した図
【図２５】入稿用端末装置のアップロード画面を示した図
【図２６】入稿用端末装置のジョブ一覧画面を示した図
【図２７】入稿用端末装置のページ一覧画面を示した図
【図２８】入稿用端末装置のページ一覧画面を示した図
【図２９】入稿用端末装置のページ一覧画面を示した図
【図３０】校正用端末装置のログイン画面を示した図
【図３１】校正用端末装置のジョブ一覧画面を示した図
【図３２】校正用端末装置のページ一覧画面を示した図
【図３３】校正用端末装置の校正ツール画面を示した図
【図３４】校正用端末装置のページ一覧画面を示した図
【図３５】校正用端末装置のジョブ一覧画面を示した図
【図３６】校正用端末装置のページ一覧画面を示した図
【図３７】校正用端末装置の校正ツール画面を示した図
【図３８】校正用端末装置の校正ツール画面を示した図
【図３９】校正用端末装置の校正ツール画面を示した図
【図４０】校正用端末装置のページ一覧画面を示した図
【図４１】ジョブ作成／管理用端末装置のジョブ一覧画面を示した図
【図４２】ページ毎の版管理の一例を示した図
【図４３】各ページの版を組み合わせた印刷物の版管理を示した図
【符号の説明】
【０１６９】
１０…書籍印刷物、２０，２２…用紙、６０…プレビュー画像、６２…反転透過画像、６４…透過画像、６６…仕上がり確認画像、１００…画像表示装置、１１０…確認画像生成部、１１２…モニタ装置、１６０…立体表示画面、２００…ワークフロー管理システム
【図１】
2010036422.tif 000003
【図２】
2010036422.tif 000004
【図３】
2010036422.tif 000005
【図４】
2010036422.tif 000006
【図８】
2010036422.tif 000007
【図９】
2010036422.tif 000008
【図１０】
2010036422.tif 000009
【図１１】
2010036422.tif 000010
【図１２】
2010036422.tif 000011
【図１３】
2010036422.tif 000012
【図１４】
2010036422.tif 000013
【図１５】
2010036422.tif 000014
【図１６】
2010036422.tif 000015
【図１７】
2010036422.tif 000016
【図１８】
2010036422.tif 000017
【図１９】
2010036422.tif 000018
【図２０】
2010036422.tif 000019
【図２１】
2010036422.tif 000020
【図２２】
2010036422.tif 000021
【図２３】
2010036422.tif 000022
【図２４】
2010036422.tif 000023
【図２５】
2010036422.tif 000024
【図２６】
2010036422.tif 000025
【図２７】
2010036422.tif 000026
【図２８】
2010036422.tif 000027
【図２９】
2010036422.tif 000028
【図３０】
2010036422.tif 000029
【図３１】
2010036422.tif 000030
【図３２】
2010036422.tif 000031
【図３３】
2010036422.tif 000032
【図３４】
2010036422.tif 000033
【図３５】
2010036422.tif 000034
【図３６】
2010036422.tif 000035
【図３７】
2010036422.tif 000036
【図３８】
2010036422.tif 000037
【図３９】
2010036422.tif 000038
【図４０】
2010036422.tif 000039
【図４１】
2010036422.tif 000040
【図４２】
2010036422.tif 000041
【図４３】
2010036422.tif 000042
【図５】
2010036422.tif 000043
【図６】
2010036422.tif 000044
【図７】
2010036422.tif 000045